(57)【要約】【課題】  音声認識を用いてプレゼンテーション画面の操作を行い、音声入力された単語と画面上に表示された文字列が一致した場合画面上に表示された文字列に効果を加え、より効果的なプレゼンテーションの提供を試みる。【解決手段】  情報を提示する機能を有する装置であって、音声を入力できる音声入力装置と、前記音声入力装置から入力された音声を認識できる音声認識装置と、前記音声認識装置で用いられる音声辞書装置と、提示したい情報を入力する入力装置と、前記入力装置から入力された情報内容を認識する情報認識装置と、前記入力装置から入力された情報に付帯効果を加える効果装置と、前記効果装置が前記入力装置から読み出した情報に対して付帯効果を加える方法を記憶する効果辞書装置と、前記効果装置で効果が加えられた情報を表示する表示装置と、前記音声認識装置と前記入力装置と前記情報認識装置と前記表示装置と前記効果装置の制御を行う制御装置と、からなる音声認識機能付き情報提示装置。【選択図】        図１
2005208292.tif 000002
【特許請求の範囲】
【請求項１】
情報を提示する機能を有する装置であって、
音声を入力できる音声入力装置と、
前記音声入力装置から入力された音声を認識できる音声認識装置と、
前記音声認識装置で用いられる音声辞書装置と、
提示したい情報を入力する入力装置と、
前記入力装置から入力された情報内容を認識する情報認識装置と、
前記入力装置から入力された情報に付帯効果を加える効果装置と、
前記効果装置が前記入力装置から読み出した情報に対して付帯効果を加える方法を記憶する効果辞書装置と、
前記効果装置で効果が加えられた情報を表示する表示装置と、
前記音声認識装置と前記入力装置と前記情報認識装置と前記表示装置と前記効果装置の制御を行う制御装置と、
からなることを特徴とする音声認識機能付き情報提示装置。
【請求項２】
情報を提示する機能を有する装置であって、
音声を入力できる音声入力装置と、
前記音声入力装置から入力された音声を認識できる音声認識装置と、
前記音声認識装置で用いられる音声辞書装置と、
提示したい情報を記憶しておく記憶装置と、
前記記憶装置から読み出した情報内容を認識する情報認識装置と、
前記記憶装置から読み出した情報に付帯効果を加える効果装置と、
前記効果装置が前記記憶装置から読み出した情報に対して付帯効果を加える方法を記憶する効果辞書装置と、
前記効果装置で効果が加えられた情報を表示する表示装置と、
前記音声認識装置と前記記憶装置と前記情報認識装置と前記表示装置と前記効果装置の制御を行う制御装置と、
からなることを特徴とする音声認識機能付き情報提示装置。
【請求項３】
請求項１または請求項２の特徴を有する音声認識機能付き情報提示装置と、
効果装置に対して効果の種類を指定・編集を行うための編集装置と、
からなることを特徴とする音声認識機能付き情報提示装置。
【発明の詳細な説明】
【技術分野】
【０００１】
本発明は、例えばコンピュータを用いたプレゼンテーションを行うような際に利用できる音声認識機能付き情報提示装置に関するものである。
【背景技術】
【０００２】
近年のコンピュータの目覚ましい進歩のおかげで、従来まではＯＨＰと透明ＯＨＰ用紙を用いたプレゼンテーションが主流であったのが、液晶プロジェクターとコンピュータやビデオの組み合わせを使ったプレゼンテーションが盛んに行われるようになってきた。
【０００３】
特に、液晶プロジェクターの画質とコンピュータの描画機能の向上は分針秒歩といって良いぐらい進歩し、聴衆に対して動画像を含めた効果的なプレゼンテーションを提示できるようになってきた。
【０００４】
例えば、表示している画面を切り替える際に効果音を発したり、画面の切り替わり方をページ毎に異なるものに変えたり、強調したい文字列が点滅するような効果を用いることができるようになり、プレゼンテーションを見ている人に対し分かりやすい情報提示がおこなえるようになった。
【０００５】
また、特許文献１では、ポインティングデバイスと経過時間を組み合わせ円滑にプレゼンテーションを行うことができる装置と表示方法が考案されており、プレゼンテーションの説明者がプレゼンテーション中に行う操作を軽減する技術も開発されてきている。
【特許文献１】特開２０００−８９８８１号公報
【発明の開示】
【発明が解決しようとする課題】
【０００６】
しかしながら、現時点では説明者がプレゼンテーション中に画面に対して何らかの効果や操作を行う時はほとんど手動で行わねばならず、また画面や効果音といった効果は予め手作業で細かく設定しておく必要がある。
【０００７】
また、従来の技術「特開２０００−８９８８１」の場合、強調表示を行いたいオブジェクトに対して手動操作で指定しオブジェクトを強調表示させなわなければならない。
【０００８】
本発明は、上記従来例を鑑み、煩雑な設定を簡略化し表示しているものに対して自動的に強調や効果を付加することができるプレゼンテーションの為の情報提示装置の提供を試みるものである。
【課題を解決するための手段】
【０００９】
上記目的を達成するために本発明の画像提示装置は以下のような構成を備える。
【００１０】
即ち、
情報を提示する機能を有する装置であって、
音声を認識する機能と、
入力された情報を認識する機能と、
認識した音声と表示する情報の照合を行う機能と、
照合の結果一致したオブジェクトに対して効果を加える機能と、
効果を加えたオブジェクトを出力する機能と、
を有することを特徴とする。
【００１１】
また、
情報を提示する機能を有する装置であって、
音声を認識する機能と、
記憶された情報を認識する機能と、
認識した音声と認識した情報の照合を行う機能と、
照合の結果一致したオブジェクトに対して効果を加える機能と、
効果を加えたオブジェクトを出力する機能と、
を有することを特徴とする。
【００１２】
また、
情報を提示する機能を有する装置であって、
音声を認識する機能と、
入力または記憶された情報を認識する機能と、
認識した音声と認識した情報の照合を行う機能と、
効果の種類を選択・編集を行える機能と、
照合の結果一致したオブジェクトに対して選択した効果を加える機能と、
効果を加えたオブジェクトを出力する機能と、
を有することを特徴とする。
【００１３】
なお、さらに詳細に説明すれば、本発明は下記の構成によって前記課題を解決できた。
【００１４】
（１）情報を提示する機能を有する装置であって、音声を入力できる音声入力装置と、前記音声入力装置から入力された音声を認識できる音声認識装置と、前記音声認識装置で用いられる音声辞書装置と、提示したい情報を入力する入力装置と、前記入力装置から入力された情報内容を認識する情報認識装置と、前記入力装置から入力された情報に付帯効果を加える効果装置と、前記効果装置が前記入力装置から読み出した情報に対して付帯効果を加える方法を記憶する効果辞書装置と、前記効果装置で効果が加えられた情報を表示する表示装置と、前記音声認識装置と前記入力装置と前記情報認識装置と前記表示装置と前記効果装置の制御を行う制御装置と、からなることを特徴とする音声認識機能付き情報提示装置。
【００１５】
（２）情報を提示する機能を有する装置であって、音声を入力できる音声入力装置と、前記音声入力装置から入力された音声を認識できる音声認識装置と、前記音声認識装置で用いられる音声辞書装置と、提示したい情報を記憶しておく記憶装置と、前記記憶装置から読み出した情報内容を認識する情報認識装置と、前記記憶装置から読み出した情報に付帯効果を加える効果装置と、前記効果装置が前記記憶装置から読み出した情報に対して付帯効果を加える方法を記憶する効果辞書装置と、前記効果装置で効果が加えられた情報を表示する表示装置と、前記音声認識装置と前記記憶装置と前記情報認識装置と前記表示装置と前記効果装置の制御を行う制御装置と、からなることを特徴とする音声認識機能付き情報提示装置。
【００１６】
（３）前記（１）または（２）の特徴を有する音声認識機能付き情報提示装置と、効果装置に対して効果の種類を指定・編集を行うための編集装置と、からなることを特徴とする音声認識機能付き情報提示装置。
【発明の効果】
【００１７】
本発明によれば先ず、音声認識を用いることにより提示したい情報に対して簡便に効果を付与する事ができ、プレゼンテーション等の発表者を支援する事ができる。
【発明を実施するための最良の形態】
【００１８】
以下、添付図面を参照して本発明の好適な実施の形態を詳細に説明する。
【００１９】
以下簡単に本実施の形態の概要を述べると、本実施の形態では、音声認識を用いて情報に対し効果を付加し提示する装置を提供するものである。
【実施例】
【００２０】
（第１の実施例）
図１の画像提示装置の構成図と図２の処理の流れを用いて説明する。
【００２１】
＜画像提示装置の構成図（図１）＞
＜画像提示装置の処理の流れ（図２）＞
画像提示装置は、１０１音声入力装置と、１０２入力装置と、１０３音声辞書装置と、１０４音声認識装置と、１０５情報認識装置と、１０６情報辞書装置と、１０７制御装置と、１０８効果装置と、１０９効果辞書装置と、１１０表示装置とで構成される。
【００２２】
まず、１０２入力装置にＳ２０３情報入力が行われ、入力された情報は１０５情報辞書装置を用いて１０５情報認識装置でＳ２０４情報認識を行い、どのような情報が入力されたのか解読する。
【００２３】
次に、１０１音声入力装置を用いてＳ２０１音声入力が行われ、１０３音声辞書装置を用いて１０４音声認識装置でＳ２０２音声認識を行い入力された音声の解読を行う。
【００２４】
Ｓ２０２音声認識で得られた認識結果とＳ２０４情報認識で得られた認識結果は、１０７制御装置に伝達され、１０７制御装置はＳ２０４情報認識で認識された情報の中にＳ２０２音声認識で認識した結果と一致するモノがあるかどうかのＳ２０５認識結果一致作業を行う。
【００２５】
もし、１０７制御装置がＳ２０２音声認識で認識した単語がＳ２０４情報認識で得られた情報の中に含まれると判別した時、１０７制御装置は１０８効果装置に対し１０２に入力された情報にＳ２０６効果付与を行うよう命令する。
【００２６】
１０８効果装置は予め効果を設定することができ、１０８効果装置は設定された効果を、１０９効果辞書を用いて１０２入力装置に入力された情報に対しＳ２０６効果付与を行う。
【００２７】
Ｓ２０６効果付与された情報は１１０表示装置にＳ２０７表示出力される。
【００２８】
もし、１０７制御装置がＳ２０２音声認識で認識した単語がＳ２０４情報認識で得られた情報の中に含まれないと判断した時、１０７制御装置は１０８効果装置を使用せずに１１０表示装置に対して情報をＳ２０７表示出力する。
【００２９】
例えば、本実施例の画像提示装置が液晶プロジェクターのような装置であり、１０２入力装置にＰ２０２入力データのようなプレゼンテーション画面が入力されたとする。
【００３０】
１０５情報認識装置は１０６情報辞書装置を用いてＳ２０４情報認識を行い、結果としてＰ２０４のようなＰ２０２入力データに含まれている文字列の認識結果を１０７制御装置に出力する。
【００３１】
一方、１０１音声入力装置にＰ２０１入力音声「新映像エンジン」という音声が入力されたとする。
【００３２】
１０４音声認識装置は１０３音声辞書装置を使ってＳ２０２音声認識を行い、その結果としてＰ２０３音声認識結果「新映像エンジン」を１０７制御装置に出力する。
【００３３】
１０７制御装置は、１０４音声認識装置から受け取ったＰ２０３認識結果と、１０５情報認識装置から受け取ったＰ２０４認識結果を照合し、「新映像エンジン」という単語が一致するという結果を導き出し、１０８効果装置に対して「新映像エンジン」という単語に効果を付与するように命令する。
【００３４】
１０８効果装置は、１０７制御装置の指示に従い１０９効果辞書装置を用いてＰ２０２入力データに対して文字強調・拡大のＳ２０６効果付与を行い、「新映像エンジン」という文字列に効果を加えられたＰ２０５出力データを１１０表示装置に出力しＳ２０７表示出力を行う。
【００３５】
これにより、発表者が発表している内容を簡便に明示することができ、効果的な情報提示が行えるようになる。
【００３６】
（第２の実施例）
次に図３の構造図と図４の処理の流れ図を用いて画像提示装置の説明を行う。
【００３７】
＜画像提示装置の構成図（図３）＞
＜画像提示装置の処理の流れ図（図４）＞
画像提示装置は、３０１音声入力装置と、３０２記憶装置と、３０３音声辞書装置と、３０４音声認識装置と、３０５情報抽出装置と、３０６制御装置と、３０７効果装置と、３０８効果辞書装置と、３０９表示装置とで構成される。
【００３８】
まず、３０５情報抽出装置が３０２記憶装置からＳ４０３情報抽出を行い提示する情報Ｐ４０３を読み込み、読み込んだ情報は３０６制御装置に伝達される。
【００３９】
次に、画像提示装置の利用者が３０１音声入力装置からＰ４０１「映像エンジン」というようなＳ４０１音声入力を行う。
【００４０】
Ｓ４０１音声入力で入力された音声は３０４音声認識装置で３０３音声辞書装置を用いてＳ４０２音声認識が行われ、Ｐ４０２認識結果が３０６制御装置に伝達される。
【００４１】
３０６制御装置は、Ｓ４０２音声認識で得られたＰ４０２認識結果が、例えば「次ページ」や「前ページ」といったような情報抽出の操作に関わる予約語であるかどうかＳ４０４操作命令判別を行い、Ｐ４０２認識結果は操作命令に関するものであると３０６制御装置が判断した場合は３０５情報抽出装置に対して操作命令に応じた処理を行うよう命令し、Ｐ４０２認識結果は操作命令に関するモノでないと３０６制御装置が判断した場合はＰ４０３情報の中にＰ４０２認識結果と合致する情報があるかどうかＳ４０５認識結果一致判定を行う。
【００４２】
もしＰ４０３情報の中にＰ４０２認識結果と合致する情報が存在する場合、３０６制御装置は３０７効果装置に対してＰ４０３情報にＳ４０６効果付与を行うように指示し、３０７効果装置は３０８効果辞書装置を用いてＰ４０３情報の中に存在するＰ４０２と合致する情報に対してＳ４０６効果付与を行いＰ４０４出力情報を３０９表示装置に出力し、３０９表示装置はＰ４０４出力情報をＳ４０７表示出力する。
【００４３】
もしＰ４０３情報の中にＰ４０２認識結果と合致する情報が存在しない場合、３０６制御装置は３０７効果装置に対してＰ４０３情報には何も効果を付加せずに３０９表示装置にＰ４０３情報を伝達するよう指示し、３０９表示装置はＰ４０３情報をそのままＳ４０７表示出力する。
【００４４】
これにより、音声認識を用いて提示する情報の操作が行えると同時に、提示したい情報の中に含まれている情報と音声認識した語句が一致したモノに対して自動的に効果を付与できるようになる。
【００４５】
（第３の実施例）
第１の実施例および第２の実施例を更に発展させた実施例の説明を、図５を用いて行う。
【００４６】
＜画像提示装置の構成図（図５）＞
画像提示装置は、５０１音声入力装置と、５０２入力装置と、５０３記憶装置と、５０４音声辞書装置と、５０５音声認識装置と、５０６情報抽出装置と、５０７浄法寺諸装置と、５０８操作端末と、５０９編集装置と、５１０制御装置と、５１１効果装置と、５１２効果辞書装置と、５１３表示装置とで構成される。
【００４７】
基本的な処理の流れは第１の実施例および第２の実施例と同様であり、５０２入力装置から入力された情報、または５０３記憶装置に記憶されている情報を抽出し情報認識した結果と、５０１音声入力装置から入力された音声を認識した結果が５１０制御装置で判別され、合致する情報が存在する場合は５１１効果装置を経て情報に効果が付与され５１３表示装置から効果付与された情報が出力される。
【００４８】
本実施例の特徴的な点は、５０８操作端末を使って５０９編集装置で効果付与方法に関して編集を行えることである。
【００４９】
例えば、画面操作を行うための予約語の登録を行う、所定の単語を音声認識した時に画面上の色が変わったり文字が大きくなったり斜体になる、同じ語句が２回以上音声入力された場合の効果付与の振る舞いを定義することができる、などである。
【００５０】
これら効果設定を５０９編集装置で編集を行い、５１０制御装置に設定しておくことにより、音声入力を行うだけで意図した操作や効果付与を行うことができるようになる。
【００５１】
なお、この発明は上記実施例に限定されず、この発明を逸脱しない範囲内において種種変形応用可能である。
【００５２】
例えば、本実施例では、主に入力された画面の文字情報に効果を加える場合ついて説明しているが、音声や画像を効果付与する場合も、この発明の応用の範疇にあることは勿論である。
【００５３】
また例えば、効果付与した情報を出力し、一定時間経過後に効果付与を取り消し元の情報に戻して出力する場合も、この発明の応用の範疇にあることは勿論である。
【図面の簡単な説明】
【００５４】
【図１】本発明の実施例１における構成図を表す図である。
【図２】本発明の実施例１における処理の流れを表す図である。
【図３】本発明の実施例２における構成図を表す図である。
【図４】本発明の実施例２における処理の流れを表す図である。
【図５】本発明の実施例３における構成図を表す図である。
【図１】
2005208292.tif 000003
【図２】
2005208292.tif 000004
【図３】
2005208292.tif 000005
【図４】
2005208292.tif 000006
【図５】
2005208292.tif 000007